(57)【要約】【課題】  木造建築物、鉄骨建築物、鉄筋コンクリート建築物などの全ての建築物に適用することができ、竪樋を室内に収納することにより、建物外観の美観が向上し、また雨樋の劣化を防ぐことができ、さらにメンテナンス性も向上させた新規な雨樋構造を提供する。【解決手段】  建物の屋根の端部又は端部近傍に設けられ雨水を受けるための軒樋と、前記軒樋から建物の内壁よりも室内側へと引き込まれるように連通して設けられた竪樋と、からなり、竪樋が建物の内壁に沿って室内側に設けられるようにした。【選択図】  図１
0003120826.tif 000002
【実用新案登録請求の範囲】
【請求項１】
建物の屋根の端部又は端部近傍に設けられ雨水を受けるための軒樋と、前記軒樋から建物の内壁よりも室内側へと引き込まれるように連通して設けられた竪樋と、からなり、竪樋が建物の内壁に沿って室内側に設けられることを特徴とする雨樋構造。
【請求項２】
前記竪樋が、建物の内壁の中央部付近又は建物のコーナー付近に配置されることを特徴とする請求項１記載の雨樋構造。
【請求項３】
前記竪樋の横断面形状が、四角、丸、三角又は台形であることを特徴とする請求項１又は２記載の雨樋構造。
【請求項４】
前記室内側に設けられた竪樋の下端部を屈曲せしめてその端部を外部へ突出させることにより、雨水を排水することを特徴とする請求項１〜３のいずれか１項記載の雨樋構造。
【請求項５】
少なくとも前記竪樋が断熱材によって被覆されることを特徴とする請求項１〜４のいずれか１項記載の雨樋構造。
【請求項６】
建物の内壁よりも室内側に少なくとも前記竪樋を囲繞するように収納スペースを設け、前記収納スペースに前記竪樋が挿通されることを特徴とする請求項１〜５のいずれか１項記載の雨樋構造。
【考案の詳細な説明】
【技術分野】
【０００１】
本考案は、雨樋の竪樋を建物の内壁に沿って室内側に設け、外部から見えないようにした雨樋構造に関する。
【背景技術】
【０００２】
従来より、屋根に落ちてきた雨水を排水する構造として、雨樋が広く使用されている。この雨樋は、木造建築物、鉄骨建築物、鉄筋コンクリート建築物などの建築物の外部に取りつけられている。一般的な雨樋は、屋根の端部に設置した軒樋に溜められた雨水が該軒樋に連通された呼樋を通って竪樋へと送られて排水が行われる。
【０００３】
しかし、これら従来の雨樋では、雨樋が全て外部に露出しているため、建物の外観の見栄えが悪い。また、常に風雨に曝された状態にあるため、雨樋の劣化が早く、その修理も大変な作業となる。
【０００４】
そこで、例えば建物の外壁と内壁や柱と柱との間に設けられた空間部に竪樋を収納し、竪樋が外部に露出するのを防止し、竪樋のメンテナンスを容易に行うような竪樋を収納した壁材の構造も提案されている（特許文献１）。
【０００５】
しかしながら、上記のような構造では、竪樋を収納するためのスペースが十分ではないため、例えば６〜８ｃｍといった細い竪樋しか使用することができず、１０ｃｍ以上の太い竪樋を使用することができなかった。そして、細い竪樋を使用すると、雨水とともに流れてきた種々の異物によって竪樋がつまってしまうという問題があった。
【０００６】
また、上記のような外壁と内壁や柱と柱との間に設けられた空間部に竪樋を収納する構造では、木造住宅には適合するが、ＲＣ構造の建物や鉄筋コンクリート造等のマンションには適合しないという問題もあった。
【特許文献１】特開平１０−２９９２６５号公報
【考案の開示】
【考案が解決しようとする課題】
【０００７】
本考案は、上記問題点に鑑みてなされたものであり、木造建築物、鉄骨建築物、鉄筋コンクリート建築物などの全ての建築物に適用することができ、竪樋を室内に収納することにより、建物外観の美観が向上し、また雨樋の劣化を防ぐことができ、さらにメンテナンス性も向上させた新規な雨樋構造を提供することを目的とする。
【課題を解決するための手段】
【０００８】
上記課題を解決するために、本考案の雨樋構造は、建物の屋根の端部又は端部近傍に設けられ雨水を受けるための軒樋と、前記軒樋から建物の内壁よりも室内側へと引き込まれるように連通して設けられた竪樋と、からなり、竪樋が建物の内壁に沿って室内側に設けられることを特徴とする。
【０００９】
本明細書において内壁とは室内に面している壁のことを指す。この雨樋構造は、木造建築物、鉄骨建築物、鉄筋コンクリート建築物などの全ての建築物に適用することができ、また、竪樋を室内に収納するため、建物外観の美観が向上する。さらに、夏の暑さ、冬の寒さ又は凍結などによる色の変色、又は風雨、雪などによる劣化を防止することが可能である。
【００１０】
前記雨樋の設置位置は、建物のいずれの場所でもよいが、好ましくは、前記竪樋が建物の内壁の中央部付近又は建物のコーナー付近に配置されるのが好ましい。
【００１１】
また、前記竪樋の横断面形状は、特別の限定はないが、横断面形状が四角、丸、三角又は台形であるのが好適である。
【００１２】
前記室内側に設けられた竪樋の下端部を屈曲せしめてその端部を外部へ突出させることにより、雨水を排水するように構成するのが好適である。
【００１３】
さらに、結露を防止するために、少なくとも前記竪樋が断熱材によって被覆されるのが好ましい。断熱材としては、断熱効果を有する材料であればよいもので、種々の断熱材料が使用可能であるが、例えば、グラスウール又はセルローズファイバーなどの断熱材を使用することができる。
【００１４】
建物の内壁よりも室内側に少なくとも前記竪樋を囲繞するように収納スペースを設け、前記収納スペースに前記竪樋が挿通されるように構成することも可能である。このように構成すれば、前記竪樋を隠蔽することができるので、建物の室内の美観を損ねることがないという利点がある。
【００１５】
本考案の雨樋構造の材質に特別の限定はないが、例えば、塩化ビニル、アルミニウム、スチールなどで製造することができる。
【考案の効果】
【００１６】
本考案によれば、木造建築物、鉄骨建築物、鉄筋コンクリート建築物などの全ての建築物に適用することができ、竪樋を室内に収納することにより、建物外観の美観が向上し、また雨樋の劣化を防ぐことができ、さらにメンテナンス性も向上させた新規な雨樋構造を提供することができるという著大な効果を奏する。
【考案を実施するための最良の形態】
【００１７】
以下に本考案の実施の形態を添付図面に基づいて説明するが、本考案の技術思想から逸脱しない限りこれらの実施の形態について種々の変更又は変形が可能なことは言うまでもない。
【００１８】
図１は本考案の第一の態様を示す概略斜視図、図２は図１の正面概略図、図３は図１の軒下を示す要部拡大概略図、図４は図１の要部平面詳細図、図５は本考案の第二の態様を示す概略斜視図、図６は図５の軒下を示す要部拡大概略図、図７は図５の要部縦断面図である。なお、図中、符号２１は垂木、符号２２は軒桁、符号２３は梁である。
【００１９】
まず、本考案の第一の態様を、図１〜４に基づいて説明する。符号１０Ａは、本考案の第一の態様に係る雨樋構造を示す。雨樋構造１０Ａは、建物１００Ａの屋根１２の端部に周回して外部１４に面して設けられ雨水Ｗを受けるための軒樋１６と、前記軒樋１６から建物の内壁２４よりも室内２６側へと引き込まれるように連通して設けられた竪樋２０と、からなり、竪樋２０が建物１００Ａの内壁２４に沿って建物１００Ａの室内２６側に設けられている。符号１８は連通部であり、図示例ではこの連通部１８を介して軒樋１６に竪樋２０が連通せしめられている。図示例では、連通部１８と竪樋２０を一体的に形成した例を示したが、連通部１８を竪樋２０とは別体として形成し、例えば螺合によって連通部１８と竪樋２０とを連結せしめる構成とすることも可能である。
【００２０】
また、図示例では竪樋２０のみが建物１００Ａの内壁２４に沿って建物１００Ａの室内２６側に設けられており、連通部１８についてはその一部が外部１４に露出しているが、連通部１８も建物１００Ａの室内２６側に設ける構成とすることができることはいうまでもない。
【００２１】
図示例では、竪樋２０の横断面形状は丸形のものを示した。図４によく示されるごとく、竪樋２０は連通部１８を介して建物１００Ａの内壁２４よりも室内２６側へと引き込まれるように軒樋１６に連通して設けられている。また、連通部１８は屈曲して竪樋２０と一体的に形成されている。また、連通部１８及び竪樋２０のうち内壁２４よりも室内２６側に設けられた箇所はすべてグラスウール又はセルローズファイバーなどの断熱材３２で被覆されている。
【００２２】
また、図示例では、竪樋２０を、建物１００Ａのコーナー付近に配置した例を示したが、建物１００Ａの内壁２４の中央部付近に配置するように構成することもできる。
【００２３】
竪樋２０の下端部は屈曲部３４とされており、このように屈曲せしめられてその端部が外部へ突出せしめられることにより、雨水Ｗが排水される構造となっている。なお、図示例では竪樋２０の下端部を一体的に屈曲せしめた例を示したが、屈曲部分を竪樋２０とは別体として形成し、例えば螺合によって屈曲部３４と竪樋２０とを連結せしめる構成とすることも可能である。竪樋２０の下端部の屈曲部３４の形状としては、図１に示されるようなクランク形状としてもよいし、図２に示されるようなＬ字形としてもよい。
【００２４】
図２及び図４によく示されるごとく、建物１００Ａの内壁２４よりも室内２６側に前記竪樋２０を囲繞するように収納スペース４０が設けられており、前記収納スペース４０に前記竪樋２０が挿通されている。このようにすれば、前記竪樋２０を隠蔽することができるので、建物１００Ａの室内２６の美観を損ねることがない。なお、図４において、符号４２は柱、４４は間柱、４６は水切り、４８はサイディング（外壁）、５０は構造用合板、５２は断熱板材、８２は固定バンド、８３はバンド受け金具をそれぞれ示す。
【００２５】
図示例から明らかな如く、竪樋２０は建物１００Ａの外部１４から見えないし、また、収納スペース４０に収納されているため、室内２６からも隠蔽された構造となっている。なお、図３及び図６において、それぞれ符号１０２，１０４は軒樋１６、連通部１８、竪樋２０などを外部１４から見えないように隠すための化粧板である。
【００２６】
次に、本考案の第二の態様を図５〜図７に基づいて説明する。符号１０Ｂは、本考案の第二の態様を示す。雨樋構造１０Ｂは、建物１００Ｂの屋根７２の端部近傍に外部７４に面して設けられ雨水Ｗを受けるための軒樋７６と、前記軒樋７６から建物１００Ｂの内壁８４よりも室内８６側へと引き込まれるように連通部７８を介して連通して設けられた竪樋８０と、からなり、竪樋８０が建物１００Ｂの内壁８４に沿って建物１００Ｂの室内８６側に設けられている。
【００２７】
図７において、符号５６は小屋裏、５８は天井、６０は床、６１は根太、６２は基礎パッキン、６３は土台、６４は防鼠材、６６は水切り、６８は基礎、７０は地面をそれぞれ示す。
【００２８】
本考案の第二の態様と第一の態様との相違点は、第一の態様が屋根の端部に軒樋を設けた構成であるのに対し、第二の態様は屋根の端部近傍に軒樋を設けた点にある。その他の構成については上述の第一の態様と同様であるので、詳細については省略する。
【００２９】
本考案の第二の態様を採用すれば、従来であれば屋根の端部に軒樋を設ける必要があったが、図示例のように屋根の端部近傍に設けることにより、建物の優れた外観及び機能美を兼備できるという利点がある。
【００３０】
本考案の図示例において、木造住宅の例を示したが、本考案の雨樋構造は、木造建築物、鉄骨建築物、鉄筋コンクリート建築物などの全ての建築物に適用することができる。
【図面の簡単な説明】
【００３１】
【図１】本考案の第一の態様を示す概略斜視図である。
【図２】図１の正面概略図である。
【図３】図１の軒下を示す要部拡大概略図である。
【図４】図１の要部平面詳細図である。
【図５】本考案の第二の態様を示す概略斜視図である。
【図６】図５の軒下を示す要部拡大概略図である。
【図７】図５の要部縦断面図である。
【符号の説明】
【００３２】
１０Ａ，１０Ｂ：雨樋構造、１２，７２：屋根、１４，７４：外部、１６，７６：軒樋、１８，７８：連通部、２０，８０：竪樋、２１：垂木、２２：軒桁、２３：梁、２４，８４：内壁、２６，８６：室内、３２：断熱材、３４：屈曲部、４０：収納スペース、４２：柱、４４：間柱、４６，６６：水切り、４８：サイディング（外壁）、５０：構造用合板、５２：断熱板材、５６：小屋裏、５８：天井、６０：床、６１：根太、６２：基礎パッキン、６３：土台、６４：防鼠材、６８：基礎、７０：地面、８２：固定バンド、８３：バンド受け金具、１００Ａ，１００Ｂ：建物、１０２，１０４：化粧板、Ｗ：雨水。
【図１】
0003120826.tif 000003
【図２】
0003120826.tif 000004
【図３】
0003120826.tif 000005
【図４】
0003120826.tif 000006
【図５】
0003120826.tif 000007
【図６】
0003120826.tif 000008
【図７】
0003120826.tif 000009